(57)【要約】【課題】  リムに抱持されたレンズの周縁部に欠けや亀裂が発生する等のレンズ損傷を防止できると共に、リムを効果的に装飾し得る可撓性樹脂線材を提供する。【解決手段】  レンズ２を抱持する金属製のリム３の内面側５に装着される線状を呈する可撓性樹脂線材であって、リムの内周面に設けられた環状溝６を密着状態に覆う支持片９を有する。該支持片９の内面側には、前記環状溝６と略同一形状の支持溝７が設けられている。又、前記支持片９の両側に、リム３の両側面１０，１１に密接に被る化粧側片１２，１２が突設されている。【選択図】      図７
2005106911.tif 000002
【特許請求の範囲】
【請求項１】
レンズを抱持するリムの内周面に設けられた環状溝を密着状態に覆い且つ該環状溝と略同一形状の支持溝が内面側に設けられてなる支持片の両側に、該リムの両側面に被る化粧側片を突設したことを特徴とする眼鏡におけるリム用の可撓性樹脂線材。
【請求項２】
前記両化粧側片の先端部分に、前記リムの両側面に周方向に連続する如く設けられた係合溝に嵌入し得る係合嵌合部が設けられていることを特徴とする請求項１記載の眼鏡におけるリム用の可撓性樹脂線材。
【請求項３】
前記化粧側片は、前記リムの側面の１／３〜１／２幅部分に被ることを特徴とする請求項１記載の眼鏡におけるリム用の可撓性樹脂線材。
【請求項４】
前記化粧側片は、前記リムの側面の全体に被ることを特徴とする請求項１記載の眼鏡におけるリム用の可撓性樹脂線材。
【請求項５】
前記化粧側片は、その長さ方向で見て、その幅が不均一に形成されていることを特徴とする請求項１記載の眼鏡におけるリム用の可撓性樹脂線材。
【請求項６】
前記両化粧側片は、その長さ方向で見て、その幅が不均一に形成されており、両化粧側片について、その幅の不均一状態が異なることを特徴とする請求項１記載の眼鏡におけるリム用の可撓性樹脂線材。
【請求項７】
前記化粧側片の先端縁は、その長さ方向で見て、波線状に形成されていることを特徴とする請求項１記載の眼鏡におけるリム用の可撓性樹脂線材。
【請求項８】
環状に湾曲癖が付けられていることを特徴とする請求項１記載の眼鏡におけるリム用の可撓性樹脂線材。
【請求項９】
全体が１色又は多色に着色されていることを特徴とする請求項１記載の眼鏡におけるリム用の可撓性樹脂線材。
【請求項１０】
レンズを抱持するリムの内面側に請求項１〜９のいずれかに記載の眼鏡におけるリム用の可撓性樹脂線材が装着された眼鏡であって、該可撓性樹脂線材の前記支持片が前記環状溝を密着状態に覆うと共に、前記両化粧側片が前記リムの両側面に被った状態にあることを特徴とする眼鏡。
【請求項１１】
レンズを抱持するリムの内面側に請求項１〜９のいずれかに記載の眼鏡におけるリム用の可撓性樹脂線材が装着された眼鏡であって、該可撓性樹脂線材の前記支持片が前記環状溝を密着状態に覆うと共に、前記両化粧側片が前記リムの両側面に弾性的に密着状態に被った状態にあることを特徴とする眼鏡。
【請求項１２】
レンズを抱持するリムの内面側に請求項１〜９のいずれかに記載の眼鏡におけるリム用の可撓性樹脂線材が装着され、該可撓性樹脂線材の前記支持片が前記環状溝を密着状態に覆うと共に、前記両化粧側片が前記リムの両側面に被った状態にある眼鏡を製造するに際して、前記樹脂線材は、リムの湾曲よりも若干大き目の環状に湾曲癖が付けられたものとしておき、前記支持片を前記環状溝を被うように位置合わせをして後、この状態で前記支持片をリムの内周面に押し当て、両化粧側片間にリムの前記内面側を嵌め入れることを特徴とする眼鏡の製造方法。
【請求項１３】
レンズを抱持するリムの内面側に請求項１〜９のいずれかに記載の眼鏡におけるリム用の可撓性樹脂線材が装着され、該可撓性樹脂線材の前記支持片が前記環状溝を密着状態に覆うと共に、前記両化粧側片が前記リムの両側面に被った状態にある眼鏡を製造するに際して、前記樹脂線材は、リムの湾曲よりも若干大き目の環状に湾曲癖が付けられたものとしておき、前記支持片を前記環状溝を被うように位置合わせをして後、この状態で前記支持片をリムの内周面に押し当て、両化粧側片を弾性的に拡開させてその間にリムの前記内面側を嵌め入れ、該両化粧側片がリムの両側面に密接に被った状態とすることを特徴とする眼鏡の製造方法。
【発明の詳細な説明】
【技術分野】
【０００１】
本発明は、リムの内面側を覆うように装着されることにより、該リムに抱持されたレンズを損傷しないように保護できると共に眼鏡のファッション性向上にも寄与する眼鏡におけるリム用の可撓性樹脂線材に関するものであり、又、該可撓性樹脂線材を用いた眼鏡、及び該眼鏡の製造方法に関するものである。
【背景技術】
【０００２】
環状をなす金属製リムの内面側に設けられている環状溝にレンズの周縁部を嵌め入れることによって該リムにレンズを抱持させるタイプの眼鏡にあっては、従来、次のような各種の原因によって、レンズの周縁部に欠けや亀裂が発生しやすい問題があった。
【０００３】
その原因の一つは、レンズがリム形状に合わせて精度良くカット加工されていないためにレンズがリムに無理に嵌合された状態になり、外部的衝撃によってレンズに無理な応力が作用してレンズに欠けや亀裂を発生させたのであった。又、リム線材を環状に折曲してリムを形成する際に、前記環状溝の両側の溝壁部が無理に圧縮変形するために、レンズ溝幅が不均一となる等、形成された環状リムに不自然な歪みが残存することも原因の一つであった。
【０００４】
更に、リムによるレンズの抱持構造も原因の一つであった。即ち、レンズの抱持構造の一般的構成は図３４〜３６に示すように、リムａの上下端に上のジョイント片ｂと下のジョイント片ｃをロウ付すると共に、該リムａの内周面に設けられた環状溝ｅにレンズの周縁部ｆを嵌め入れた状態で両ジョイント片ｂ，ｃをビスｇで締め付けることによりレンズｈをリムａで抱持可能となされており、又、テンプルｉが開閉可能に連結されるヨロイｊの前端部分ｋが前記上のジョイント片ｂにのみロウ付されていた。そのため、かかる抱持構造によるときは、テンプルｉが外側に無理に開いたときに、上のジョイント片ｂに連なるリム上側部分ｍが前方向に無理に捩じれた状態に変形することになり、これがレンズの欠けや亀裂を生じさせることにもなったのである。この場合、レンズの加工精度が悪い場合は欠けや亀裂が一層発生しやすかった。
【０００５】
更に加えて、最近の金属製のリムは、眼鏡の見た目を向上させんとして、溝深さ方向に細く形成される傾向にあり、極最近では、０．６〜０．７ｍｍ程度と非常に細く形成されたリムも出現しているが、このこともレンズの欠けや亀裂を発生させやすい原因の一つであった。即ち、このようにリムが細く形成されればされるほど、リムの強度を確保するために、リム線材の素材としてベーターチタンやステンレス等の硬度の高い金属素材を用いざるを得なくなってきており、これに合わせてレンズの硬度も高くなってきている。このようなことの結果、外部的衝撃に対してレンズに無理な応力が加わりやすく、レンズの欠けや亀裂を生じさせる原因となっているのであった。特に、レンズの加工精度が悪い場合は欠けや亀裂が一層発生しやすく、又、レンズが角張った形態にカット加工される場合は、角部分で欠け等が生じやすかった。
【０００６】
このような問題点を解消せんとして実公昭５２−３３２３６号公報が開示するレンズ装嵌機構が提案されている。該レンズ装嵌機構は、図３７に示すように、金属製リムａの環状溝ｎ内にシリコン弾性ゴムからなるライニング部ｐを略山形に形成し、図３８に示すようにレンズｈをリムａに嵌め入れた状態で、前記ライニング部ｐがレンズの周縁部ｆに押圧されて弾性変形することによって、変形したライニング部ｐがレンズの周縁部ｆと環状溝ｎとの間の隙間ｑに介在するように構成されていた。
【０００７】
しかしながら、かかる構成の眼鏡は、レンズの周縁部ｆを嵌め入れる溝がライニング部ｐに予め設けられているのではなく、レンズ周縁部の押圧作用によって該ライニング部ｐを弾性変形させ、該ランニング部ｐをレンズの周縁部の形状に合わせようとするものであったため、リムａにレンズｈを嵌め込む際に、前記ライニング部ｐが前記環状溝ｎの溝幅方向（前後方向）で弾性変形しやすい。かかることから、図３８に示すように、レンズの周縁部ｆの先端ｒが環状溝ｎの中央部に位置した状態でライニング部ｐが前後均等に弾性変形するとは限らず、該先端ｒが、図３９に示すように、ライニング部ｐの不均一な弾性変形によって環状溝ｎの一側に偏位した状態になる場合が生じ易く、レンズの嵌合状態が不安定化しやすい問題があったばかりか、このような偏位状態になると、レンズの焦点が合いにくくなって目が疲れ易く、視力矯正上好ましくない問題も発生した。なお、ライニング部の不均一な弾性変形は、左右リムの双方について生ずるとは限らず、一方についてだけ生ずることもあるが、左右レンズの嵌合状態がアンバランスになることは、視力矯正上決して好ましいものではなかった。
【０００８】
このようなライニング部ｐの偏位を防止せんとして、実開平４−３３０１３号公報が開示するレンズ保持構造が提案されている。該レンズ保持構造は、図４０〜４１に示すように、リムａの内周面ｄに設けられた環状溝ｓの底部に周方向に設けられた蟻溝ｔに弾性パッキングｕを装着する構成を採用していた。該弾性パッキングｕは、レンズｈの周縁部ｆを嵌合状態に支持する支持溝ｖを具えた支持片ｗの外周面の中央線に沿って、前記蟻溝ｔに嵌め入れられる突条リブｘが設けられ、該突条リブｘを該蟻溝ｔに嵌め入れることによって該弾性パッキングｕの前後方向の移動を阻止するように構成されていた。
【０００９】
しかしながら、かかる構成のレンズ保持構造によるときは、蟻溝ｔが浅いと、前記突条リブｘと蟻溝ｔとの嵌合による係合状態が不確実となって、前記支持溝ｖにレンズｈの周縁部ｆを嵌め入れる際に、弾性パッキングｕがリムａから外れてしまう問題が生じやすかった。
【００１０】
これを防止するためには前記蟻溝ｔを深く形成せざるを得ないが、該蟻溝ｔは前記のように、環状溝ｓの最も深い底部に形成されるため、蟻溝ｔを必要深さに形成せんとすればリムの正面視の厚さが厚くならざるを得ない。前記突条リブｘと蟻溝ｔとの係合を確実に行わせようとすれば、蟻溝ｔの溝深さは少なくとも０．５ｍｍは必要と考えられるため、リムの正面視の厚さは少なくとも１．２ｍｍは必要と思われる。しかしながら、このような厚いリムを具える眼鏡は、正面から見たときの体裁が悪く、眼鏡枠を極力細身に印象付けようとする近年の眼鏡ファッション化の要請に反するものとなって好ましくない。
【００１１】
又かかるレンズ保持構造によるときは、蟻溝ｔを具える特殊断面形態のリムが必要になるため、内周面にＶ字状の環状溝を具えただけの一般的な眼鏡に対しては全く適用できなかったばかりか、特殊断面形態のリムを設計製作しなければならないために、眼鏡の製造コスト上昇を招く問題もあった。
【００１２】
又、図４０に示すように、前記支持片ｗの両側面部ｙ，ｙがリムの側端ｚ，ｚに重なるため、前記支持溝ｖにレンズｈの周縁部ｆを嵌め入れる際、該周縁部ｆが前記支持片ｗの側面部ｙに引っ掛かってレンズをリムに嵌めにくい問題があり、又、この引っ掛かりによって弾性パッキングｕが外れる恐れもあった。
【００１３】
更に、かかるレンズ保持構造によるときは、図４１に示すように、前記支持片ｗの両側面部ｙ，ｙがリムの内外の縁部分に現れるため、該両側面部ｙ，ｙがレンズの外周縁に飾り縁を形成できるが、この飾り縁は、細い線状を呈するに過ぎないために装飾効果が単調であった。又、該飾り縁がリムの側面に被る構成ではなかったために、弾性パッキングがリムの側面を装飾したり、リムをより細く印象付けるといったフアッション性は何ら期待できないものであった。
【００１４】
なお、リムの側面を装飾する手段としては、エポキシ樹脂を主体とした樹脂をリムの側面に塗布する所謂疑似七宝加工が提案されているが、この疑似七宝加工は特殊技能を要したために専門業者に依頼せざるを得ず、又、非常な加工手間を要して加工コストが高くついた。その上、装飾部が劣化して脱落する恐れもあった。
【００１５】
【特許文献１】実公昭５２−３３２３６号公報（第２−３頁、第１−２図）
【特許文献２】実開平４−３３０１３号公報（第４−５頁、第２図）
【発明の開示】
【発明が解決しようとする課題】
【００１６】
本発明は、かかる従来の問題点に鑑みて開発されたものであり、リムに抱持されたレンズの周縁部を安定状態に支持できてレンズの周縁部に欠けや亀裂が発生する等のレンズ損傷を防止できると共に、リムを効果的に装飾し得る眼鏡におけるリム用の可撓性樹脂線材の提供を課題とすると共に、レンズを安定状態に保持し且つフアッション性に優れる眼鏡の提供を課題とするものである。又、かかる眼鏡を製造する眼鏡の製造方法の提供を課題とするものである。
【課題を解決するための手段】
【００１７】
前記課題を解決するため、本発明は以下の手段を採用する。
即ち、本発明に係る眼鏡におけるリム用の可撓性樹脂線材（以下樹脂線材という）は、レンズを抱持するリムの内周面に設けられた環状溝を密着状態に覆い且つ該環状溝と略同一形状の支持溝が内面側に設けられてなる支持片の両側に、該リムの両側面に被る化粧側片を突設したことを特徴とするものである。
【００１８】
前記樹脂線材は、前記両化粧側片の先端部分に、前記リムの両側面に周方向に連続する如く設けられた係合溝に嵌入し得る係合嵌合部を設けるのがよい。
【００１９】
又前記樹脂線材において、前記化粧側片は、前記リムの側面の１／３〜１／２幅部分に被るように構成する他、前記リムの側面の全体に被るように構成することもある。
【００２０】
又前記樹脂線材において前記化粧側片は、その長さ方向で見て、その幅を不均一に形成することがある。この場合、前記両化粧側片を、その長さ方向で見てその幅を不均一に形成し、両化粧側片について、その幅の不均一状態を異ならせることもある。又、このように幅を不均一に形成する場合、前記化粧側片の先端縁を、その長さ方向で見て、波線状等に形成できる。
【００２１】
又前記樹脂線材は、環状に湾曲癖が付けられたものとして構成するのがよい。
【００２２】
又前記樹脂線材は、全体が１色又は多色に着色されたものとして構成するのがよい。
【００２３】
本発明に係る眼鏡は、レンズを抱持するリムの内面側に請求項１〜９のいずれかに記載の樹脂線材が装着された眼鏡であって、該樹脂線材の前記支持片が前記環状溝を密着状態に覆うと共に、前記両化粧側片が前記リムの両側面に被った状態にあることを特徴とするものである。
【００２４】
本発明に係る眼鏡の他の態様は、レンズを抱持するリムの内面側に請求項１〜９のいずれかに記載の樹脂線材が装着された眼鏡であって、該樹脂線材の前記支持片が前記環状溝を密着状態に覆うと共に、前記両化粧側片が前記リムの両側面に弾性的に密着状態に被った状態にあることを特徴とするものである。
【００２５】
本発明に係る眼鏡の製造方法は、レンズを抱持するリムの内面側に請求項１〜９のいずれかに記載の樹脂線材が装着され、該樹脂線材の前記支持片が前記環状溝を密着状態に覆うと共に、前記両化粧側片が前記リムの両側面に被った状態にある眼鏡を製造するに際して、前記樹脂線材は、リムの湾曲よりも若干大き目の環状に湾曲癖が付けられたものとしておき、前記支持片を前記環状溝を被うように位置合わせをして後、この状態で前記支持片をリムの内周面に押し当て、両化粧側片間にリムの前記内面側を嵌め入れることを特徴とするものである。
【００２６】
本発明に係る眼鏡の製造方法の他の態様は、レンズを抱持するリムの内面側に請求項１〜９のいずれかに記載の樹脂線材が装着され、該樹脂線材の前記支持片が前記環状溝を密着状態に覆うと共に、前記両化粧側片が前記リムの両側面に被った状態にある眼鏡を製造するに際して、前記樹脂線材は、リムの湾曲よりも若干大き目の環状に湾曲癖が付けられたものとしておき、前記支持片を前記環状溝を被うように位置合わせをして後、この状態で前記支持片をリムの内周面に押し当て、両化粧側片を弾性的に拡開させてその間にリムの前記内面側を嵌め入れ、該両化粧側片がリムの両側面に密接に被った状態とすることを特徴とするものである。
【発明の効果】
【００２７】
本発明は以下の如き優れた効果を奏する。
(1) 本発明に係る樹脂線材によるときは、該樹脂線材が可撓性を有するため、リムの環状形態によらず、その内面側に樹脂線材を無理なく装着できるのは元より、リムの内面側に装着された樹脂線材を介してリムでレンズを保持できるため、リムに保持されるレンズの周縁部を樹脂線材の弾力性によってソフトに支持できる。これによって、レンズのカット加工が精度良く行われていない場合であってもその寸法誤差を該樹脂線材の弾性変形によって吸収できることから、従来のような、レンズが欠けたりレンズに亀裂が発生する等のレンズ損傷を防止できる。又、リムにヨロイを介してテンプルを連結するタイプの眼鏡において、テンプルが外側に無理に開いた場合にあっても、レンズが欠けたりレンズに亀裂が発生する等のレンズ損傷を防止できる。更に、硬度の高い金属素材を用いてリムを細身に形成する場合にあっても、樹脂線材の弾力性によってレンズをソフトに支持でき、レンズが欠けたりレンズに亀裂が発生する等のレンズ損傷を防止できる。
【００２８】
(2) 又本発明に係る樹脂線材は、リムの内面側に樹脂線材が装着された状態において、樹脂線材の化粧側片がリムの側面に被るため、該化粧側片によってリムを効果的に装飾できる。
リムの側面を装飾する手段としては、前記したように、エポキシ樹脂を主体とした樹脂をリムの側面に塗布する所謂擬似七宝加工が提案されているが、この擬似七宝加工は特殊な技能を要するために専門業者に依頼せざるを得ず、又、非常な加工手間を要して加工コストが高くつき、その上、装飾部が劣化して脱落する恐れもあったが、本発明によるときは、樹脂線材を装着すれば直ちに装飾部を形成できるために、専門業者に依頼する必要がなく、容易にしかも安価にリムの側面を耐久性よく装飾できる利点がある。加えて、樹脂線材を交換することによってリムの装飾状態を変更することも容易である。
【００２９】
(3) 又本発明に係る樹脂線材は、リムの内面側に樹脂線材が装着された状態において、樹脂線材の化粧側片がリムの側面に被るため、該化粧側片の被り幅に相当する分だけ、リムを細く印象付けることができる。特に、化粧側片がリムの側面の全体に被るように構成される場合は、リムを具える眼鏡でありながら、あたかも縁無し眼鏡であるかのような印象を与えることもできる。
【００３０】
(4) 化粧側片の先端縁を波形等に形成して、化粧側片の幅を変化させる場合は、化粧側片による装飾効果の多様化を図ることができる。化粧側片の幅を変化させる場合、両化粧側片についてその幅の変化状態を異ならせるときは、何れの化粧側片をリムの正面側に配置させるかによって、１本の樹脂線材で眼鏡デザインを２種類に変化させることができる。このことは、一方の化粧側片についてのみその幅を変化させた場合も、何れの化粧側片をリムの正面側に配置させるかによって、１本の樹脂線材で眼鏡デザインを２種類に変化させることができる。
このように本発明は、眼鏡のフアッション性向上に大きく寄与できる。
【００３１】
(5) 又本発明に係る樹脂線材は、支持片の両側に突設された両化粧側片がリムの両側面に被る構成であるため、両化粧側片による支持片の位置固定作用によって支持片の前後移動が確実に防止されると共に、弾性パッキングの支持片の側面部がリムの側端に重なる前記従来のレンズ保持構造における如く、レンズをリムに装着する際にレンズの縁部分が樹脂線材に引っ掛かる恐れがなく、レンズをリムに無理なく装着できるため、レンズをリムに装着しにくかったり、装着の際に樹脂線材が外れるといった恐れもない。
【００３２】
(6) 更に、本発明に係る樹脂線材は、弾性パッキングを用いる前記従来のレンズ保持構造におけるような突条リブは具えていないため、リムの内面側に蟻溝を具える特殊形態のリムを具える眼鏡に対してだけではなく、リムの内周面に環状溝を具える広範囲の眼鏡に対して使用できる汎用性を有する。
【００３３】
(7) 特に、両化粧側片がリムの両側面に弾性的に密着するように構成することにより、化粧側片とリムの側面との間にゴミが進入する恐れがない。
【００３４】
(8) 又樹脂線材に、リムの湾曲よりも若干大きめの環状の湾曲癖が付けられているときは、直線状の樹脂線材を湾曲させながらこれをリムの内面側に装着する場合に比し、樹脂線材をその一端側から他端側に向けてリムの内面側に装着する作業が容易となる。
【００３５】
(9) 支持片の両側に突設した化粧側片の先端に、リムの両側面にその周方向に連続して設けられた係合溝に嵌入し得る係合嵌合部を設ける構成を採用した場合は、前記支持片をリムの内周面に押し当てることによって化粧側片間にリムの内面側を順次嵌め入れる際、前記係合嵌合部が前記係合溝に嵌まり合った状態となるため、両化粧側片がリムの両側面に密接に被った状態を確認できながら樹脂線材をリムに確実に装着できると共に、両化粧側片がリムの両側面に密接に被った状態がより確実に保持されることになる。
【００３６】
(10)本発明に係る眼鏡において、前記構成の樹脂線材を着脱可能としたときは、色や模様等の異なる樹脂線材をリムに装着することにより、日々の気分や行動目的、季節等に応じて、眼鏡のデザインを変更してお洒落を楽しむことができる。
【実施例１】
【００３７】
図１〜４において本発明に係る樹脂線材１は、レンズ２を抱持する金属製のリム３の内面側５に装着される線状を呈するものであり、弾力性があり耐久性に富むスーパーエンプラやエンプラ、ナイロン等の合成樹脂素材を以って、例えば押出成形されている。
【００３８】
該樹脂線材１の具体的な構成は、図１〜２、図５〜６に示すように、リム３の内周面４に設けられたＶ字状をなす環状溝６を密着状態に被い且つ該環状溝６と略同一形状のＶ字状の支持溝７が内面側に設けられてなる支持片９の両側に、該リム３の前後の側面１０，１１に被り且つ該リム３を弾性的に挾持し得る化粧側片１２，１２が設けられている。なお該樹脂線材１の肉厚は、例えば０．２５ｍｍ程度に設定される。
【００３９】
該両化粧側片１２，１２は、自由状態においては図５に示すように内側に稍屈曲しており、これが外側に弾性的に拡開された状態で、前記リム３を弾性的に挾持するのである。なお本実施の形態においては、図６に示すように、リム３の正面視の厚さＬ１が０．６〜０．７ｍｍに設定されており、前記化粧側片１２の幅Ｌ２は、リム３の側面１０，１１の１／３〜１／２幅部分に被るように、例えば略１／３幅部分に被るように設定されている。又、化粧側片１２の先端外面１３は円弧面に形成されている。
【００４０】
かかる構成を有する樹脂線材１は、ブルーやグリーン、エンジ、ピンク等の各種色で一色に着色されることの他、染色等の手段で色分け模様や散点模様を付したり、着色状態を徐々に変化させる（グラデーション）等により、表面が装飾されることもある。特に本実施の形態においては図８に示すように、樹脂線材１に、リムの湾曲よりも若干大き目の環状の湾曲癖を付けている。なお該環状の湾曲癖は、樹脂線材１を所要に湾曲変形させた状態でこれを５０℃〜１００℃程度に加熱することによって容易に付けることができる。
【００４１】
図３〜４、図７は、かかる樹脂線材１を眼鏡枠１４のリム３の内面側５に装着して後に該リム３にレンズ２を抱持させることにより構成された眼鏡１５を示すものである。該眼鏡枠１４は図３に示すように、左右のリム３，３相互がブリッジ１６で連結されている。又該左右のリム３，３は、図８〜９に示すように、その外端で上下に分離可能となされており、上下の分離端部１７，１７の夫々に上下のジョイント片１９，２０がロウ付けされ、両ジョイント片１９，２０に設けられた固定孔２１，２２（上の固定孔２１はネジ孔）を上下方向で挿通するビス２３を締め付けることによって両者を連結可能となされている。又、Ｌ字状に屈曲したヨロイ２５の前側屈曲片２６を、該連結状態にある上下のジョイント片１９，２０の前面２７，２９を被うように、上のジョイント片１９の前面にロウ付けしてなり、該ヨロイ２５の後端に、蝶番３０を介してテンプル３１が開閉可能に連結されている。
【００４２】
かかる構成を有する眼鏡枠１４の左右のリム３，３にレンズ２，２を装着するに際しては、図８に示すように、前記ビス２３を取り外してリム３をその外端側で稍開いた状態とする。この状態で、リム３の内周面４の長さに合わせて切断され且つ湾曲癖が付けられた樹脂線材１の一端３２を、図１０に示すようにリム３の分離下端３３に位置合わせすると共に、前記支持片９のＶ字状突出部３５が前記リム３の前記環状溝６に嵌め入るように位置合わせをし、この状態で、該支持片９を指先で押圧してリムの内周面４に押し当てる。これにより図６、図１１に示すように、樹脂線材１の一端側３６で支持片９が環状溝６を密着状態に被い且つ、両化粧側片１２，１２が弾性的に拡開してその間にリムの内面側５が嵌め入れられ、両化粧側片１２，１２がリム３の側面１０，１１に密接に被った状態となる。樹脂線材１の一端側３６（図１０〜１１）をこのようにしてリム３の内面側に取り付けて後、前記支持片９に押し当てられた状態の指先を、図１１に矢印で示すように、樹脂線材１の他端側３７に向かって滑らせると、図１２に示すように、支持片９がリム３の内周面４に順次被った状態となり且つ両化粧側片１２，１２間が順次開いてその間にリムの内面側５が嵌め入れられることとなり、これによって、両化粧側片１２，１２がリム３の両側面１０，１１に順次密接に被った状態が得られることになる。
【００４３】
そして最終的に、樹脂線材１の他端３８が、図４に示すようにリム３の分離上端３９に略合致した状態で、樹脂線材１がリム３の内面側５に装着されることになる。樹脂線材１がこのように装着された状態で、図１３に示すように、支持片９の内面に、Ｖ字溝状の支持溝７が周方向に連続状態に形成される。
【００４４】
図１４に示すように、前記レンズ２の先細の縁部４０を前記支持溝７に嵌め入れるようにして該レンズ２を、外端が開いたリム３に取り付けて後、図９に示すように、前記上下のジョイント片１９，２０を当接状態にし、その後、前記ビス２３を両ジョイント片１９，２０の固定孔２１，２２（上の固定孔２１はネジ孔）に挿入して締め付けることにより、該レンズ２を、樹脂線材１を介してリム３に抱持状態に固定できる。
【００４５】
このように固定されたレンズ２は、図７に示すように、その周縁部４１が樹脂線材１を介してリム３に支持されているため、レンズの周縁部４１は樹脂線材１によって弾性的に支持された状態にある。かかることから、レンズのカット加工が精度良く行われていない等の場合においても、その寸法誤差を樹脂線材１の支持片９の弾性変形によって吸収できるため、レンズが欠けたりレンズに亀裂が発生したりする等のレンズ損傷を生じさせにくい。又、一定の幅を有する両化粧側片１２，１２がリムの前後の側面１０，１１に被るため、該両側面１０，１１を効果的に装飾できると共に、側面１０の内側の部分４２が化粧側片１２で隠されるため、この隠された部分がレンズ３の縁取りとして見え、正面視で、リムをより細く印象付けることができる。更に、支持片９の両側に突設された両化粧側片１２，１２がリムの両側面１０，１１に被る構成であるため、弾性パッキングの支持片の端面がリムの内周面の側端に重なる前記従来のレンズ保持構造における如く、レンズ２をリム３に装着する際にレンズの周縁部４１が樹脂線材１に引っ掛かかる問題を生じさせることなくレンズ２を無理なく装着できる。又、両化粧側片１２，１２がリムの両側面１０，１１に弾性的に密着するため、化粧側片１２，１２とリムの側面１０，１１との間にゴミが進入する恐れがない。
【００４６】
特に本実施の形態においては図８に示すように、樹脂線材１に、リムの湾曲よりも若干大き目の環状の湾曲癖を付けているため、樹脂線材１をその一端側から他端側に向けて順次リム３の内面側５に装着する作業が容易となり、しかも、樹脂線材１がリム３の内面側５に弾性的に安定的に固定されることとなる。
【実施例２】
【００４７】
本発明は、前記実施の形態で示したものに限定されるものでは決してなく、「特許請求の範囲」の記載内で種々の設計変更が可能であることはいうまでもない。その一例を挙げれば次のようである。
【００４８】
(1) 図１５〜１６、図１７〜１８は、本発明に係る樹脂線材１の他の態様をその使用状態で示すものであり、前記と同様に構成された支持片９の両側に突設した化粧側片１２，１２の先端に、リム３の両側面１０，１１にその周方向に連続して設けられた係合溝４３，４３に嵌合し得る係合嵌合部４５，４５を設けた構成を有している。
【００４９】
このように構成することにより、前記支持片９をリム３の内周面４に押し当てることによって化粧側片１２，１２間にリムの内面側５を嵌め入れる際、前記係合嵌合部４５，４５が前記係合溝４３，４３に嵌まり合った状態となるため、両化粧側片１２，１２がリム３の両側面１０，１１に密接に被った状態がより確実に保持されることになる。又、係合嵌合部４５を係合溝４３に嵌め入れるために、リム３の内面側５に対する樹脂線材１の装着を確実に行うことができる。
【００５０】
(2) 図１９は、樹脂線材１のその他の態様をその使用状態で示すものであり、支持片９の両側に突設した化粧側片１２，１２の先端縁４６，４６が、その長さ方向で見て、波形に形成されている。このように構成した場合は、図２０に示すように、リム３の側面１０，１１に波形模様の装飾を施すことができる。又図２１〜２２に示すように、三角形状部や台形状部等の所要形状部が連続するように、化粧側片１２の幅を、その長さ方向に各種に変化させることができる。なお、例えば図２３に示すように、化粧側片１２，１２の一方に関してのみ、その先端縁４６が波形等に形成される場合もある。
【００５１】
更に、このように化粧側片１２，１２の幅を変化させる場合、例えば図２４に示すように、両化粧側片１２，１２についてその幅の変化状態を異ならせることもある。かかる構成を有する樹脂線材１は、例えば図２０や、図２５に示すように、何れの化粧側片をリムの正面側に配置させるかによって、眼鏡デザインを異ならせることができる。
【００５２】
(3) 又図２６〜２７は、本発明に係る樹脂線材１のその他の態様を使用状態で示すものであり、支持片９の両側に突設された化粧側片１２，１２が、リム３の両側面１０，１１の全体に被る場合を示すものである。このように構成した場合は、正面視でリム３が露出しないために、前記化粧側片１２がレンズ２の縁取りのように見え、あたかも、縁無し眼鏡を着用しているかのような印象を与えることもできる。
【００５３】
なお本実施の形態においては、図２７〜２８に示すように、上下のジョイント片１９，２０の前側部位において、ビス２３の締め付けによって両ジョイント片１９，２０を連結できるように構成されると共に、両ジョイント片１９，２０の後端部分４７にテンプル３１が開閉可能に連結されている。
【００５４】
(4) 又図２９に示す樹脂線材１は、支持片９の両側に突設された化粧側片１２，１２を、リム３の両側面１０，１１及びリム３の外周面４９の縁側５０にも被るように構成した場合を示すものである。
【００５５】
(5) 樹脂線材１をリムの内面側に装着する場合、樹脂線材１の両端の接合部分５１は、必ずしも図４に示すように、リムの接合側５２に合致させたり、或いは、リム相互を連結するブリッジ側５３に合致させる必要はない。
【００５６】
(6) 図３０〜３１は、リム３の内周面４の全体にレンズ２を密着させることなく、リム３の一部分において空間部５５を形成した場合を示すものである。この場合、図３０に示すように樹脂線材１をリム３の内周面４の全周に亘って装着することの他、図３１に示すよう、レンズ３の周縁部４１とリム３との接触部分５６においてだけ樹脂線材１を装着する場合もある。
【００５７】
(7) 図３２〜３３に示すように、ヨロイ２５の前側屈曲片２６を、リムの上下の端部分に固定されたジョイント片の何れか一方にロウ付けする場合、ヨロイ２５の前側屈曲片２６がリムの側面の全体に被る場合は、樹脂線材１をリムに装着する際に、該ヨロイの前端部分５７を避けるように化粧側片１２の一部を切除５８しておく。
【００５８】
(8) 樹脂線材の全体や一部分を、艶消しされた透明状態に形成することもある。
【図面の簡単な説明】
【００５９】
【図１】本発明に係る樹脂線材を示す部分斜視図である。
【図２】本発明に係る樹脂線材を示す部分斜視図である。
【図３】本発明に係る眼鏡を示す斜視図である。
【図４】その部分正面図である。
【図５】リムに樹脂線材を装着する工程を説明する断面図である。
【図６】リムに樹脂線材を装着した状態を示す断面図である。
【図７】樹脂線材を介してレンズをリムに抱持させた状態を示す断面図である。
【図８】リムと樹脂線材とレンズを分解して示す斜視図である。
【図９】リムの上下の端部に設けられた上下のジョイント片をビスで連結した状態を示す断面図である。
【図１０】樹脂線材の一端をリムに位置合わせする作業工程を説明する斜視図である。
【図１１】樹脂線材を順次リムに装着する工程を説明する説明図である。
【図１２】樹脂線材がリムに装着された状態を示す部分斜視図である。
【図１３】樹脂線材が装着されたリムとレンズを示す斜視図である。
【図１４】レンズの縁部を、リムに装着された樹脂線材の支持溝に嵌め入れた状態を示す斜視図である。
【図１５】樹脂線材の他の態様を、これが装着されるリムと共に示す部分斜視図である。
【図１６】その樹脂線材をリムに装着する工程を説明する部分斜視図である。
【図１７】樹脂線材のその他の態様を、これが装着されるリムと共に示す部分斜視図である。
【図１８】その樹脂線材をリムに装着する工程を示す部分斜視図である。
【図１９】樹脂線材のその他の態様をこれが装着されるリムと共に示す斜視図である。
【図２０】図１９に示す樹脂線材をリムに装着して構成された眼鏡を示す一部断面斜視図である。
【図２１】樹脂線材のその他の態様を示す部分斜視図である。
【図２２】樹脂線材のその他の態様を示す部分斜視図である。
【図２３】樹脂線材のその他の態様を示す部分斜視図である。
【図２４】樹脂線材のその他の態様を示す部分斜視図である。
【図２５】図２１に示す樹脂線材をリムに装着して構成された眼鏡を示す一部断面斜視図である。
【図２６】樹脂線材のその他の態様を、リムに装着された状態で示す断面図である。
【図２７】その樹脂線材を用いて構成された眼鏡を示す部分斜視図である。
【図２８】その部分正面図である。
【図２９】樹脂線材のその他の態様をリムに装着された状態で示す断面図である。
【図３０】樹脂線材が装着されたリムにレンズを装着した他の態様を示す正面図である。
【図３１】樹脂線材が装着されたリムにレンズを装着した他の態様を示す正面図である。
【図３２】化粧側片の一部が切除された樹脂線材を示す部分斜視図である。
【図３３】その樹脂線材をリムに装着した状態を示す部分正面部である。
【図３４】ヨロイを具える従来眼鏡を示す部分斜視図である。
【図３５】リムの上下端のジョイント片をビスの締め付けにより一体化した状態を示す断面図である。
【図３６】リムによるレンズの従来の抱持構造を説明する断面図である。
【図３７】リムの環状溝にライニング部が設けられた従来のレンズ装嵌機構を説明する断面図である。
【図３８】そのライニング部を弾性変形させてレンズをリムに嵌め込んだ状態を示す断面図である。
【図３９】そのライニング部の不適切な弾性変形状態を示す断面図である。
【図４０】環状溝の底部に蟻溝が設けられたリムに弾性パッキングを装着した従来のレンズ保持構造を説明する断面図である。
【図４１】その斜視図である。
【符号の説明】
【００６０】
１  樹脂線材
２  レンズ
３  リム
６  環状溝
７  支持溝
９  支持片
１０  リムの側面
１１  リムの側面
１２  化粧側片
１４  眼鏡枠
１５  眼鏡
４３  係合溝
４５  係合嵌合部
【図１】
2005106911.tif 000003
【図２】
2005106911.tif 000004
【図３】
2005106911.tif 000005
【図４】
2005106911.tif 000006
【図５】
2005106911.tif 000007
【図６】
2005106911.tif 000008
【図７】
2005106911.tif 000009
【図８】
2005106911.tif 000010
【図９】
2005106911.tif 000011
【図１０】
2005106911.tif 000012
【図１１】
2005106911.tif 000013
【図１２】
2005106911.tif 000014
【図１３】
2005106911.tif 000015
【図１４】
2005106911.tif 000016
【図１５】
2005106911.tif 000017
【図１６】
2005106911.tif 000018
【図１７】
2005106911.tif 000019
【図１８】
2005106911.tif 000020
【図１９】
2005106911.tif 000021
【図２０】
2005106911.tif 000022
【図２１】
2005106911.tif 000023
【図２２】
2005106911.tif 000024
【図２３】
2005106911.tif 000025
【図２４】
2005106911.tif 000026
【図２５】
2005106911.tif 000027
【図２６】
2005106911.tif 000028
【図２７】
2005106911.tif 000029
【図２８】
2005106911.tif 000030
【図２９】
2005106911.tif 000031
【図３０】
2005106911.tif 000032
【図３１】
2005106911.tif 000033
【図３２】
2005106911.tif 000034
【図３３】
2005106911.tif 000035
【図３４】
2005106911.tif 000036
【図３５】
2005106911.tif 000037
【図３６】
2005106911.tif 000038
【図３７】
2005106911.tif 000039
【図３８】
2005106911.tif 000040
【図３９】
2005106911.tif 000041
【図４０】
2005106911.tif 000042
【図４１】
2005106911.tif 000043